(57)【要約】      （修正有）【課題】光ケーブル同士を接続する場合に、簡便な方法で複数種類の接続方法に対応することが可能な光ケーブル用トレイを提供する。【解決手段】光ケーブルの接続部を収容するための本体を備える光ケーブル用トレイであって、前記本体は、前記光ケーブルを挿通した状態で把持するための把持具４１を着脱可能な複数の着脱部を有し、前記複数の着脱部のそれぞれは、把持具４１の位置決めが可能な１以上の位置決め部材５、６、７を有し、前記複数の着脱部の少なくとも一つの着脱部は、把持具４１に代えて光アダプタ５１を着脱可能であり、前記少なくとも一つの着脱部における位置決め部材５、６、７の少なくとも一部は、光アダプタ５１の位置決めが可能である、光ケーブル用トレイ。【選択図】図７
2020154168.tif 000002
【特許請求の範囲】
【請求項１】
光ケーブルの接続部を収容するための本体を備える光ケーブル用トレイであって、
前記本体は、前記光ケーブルを挿通した状態で把持するための把持具を着脱可能な複数の着脱部を有し、
前記複数の着脱部のそれぞれは、前記把持具の位置決めが可能な１以上の位置決め部材を有し、
前記複数の着脱部の少なくとも一つの着脱部は、前記把持具に代えて光アダプタを着脱可能であり、
前記少なくとも一つの着脱部における前記位置決め部材の少なくとも一部は、前記光アダプタの位置決めが可能である、
光ケーブル用トレイ。
【請求項２】
前記複数の着脱部のそれぞれは、前記把持具に代えて光アダプタを着脱可能であり、
前記複数の着脱部における前記位置決め部材の少なくとも一部は、前記光アダプタの位置決めが可能である、
請求項１に記載の光ケーブル用トレイ。
【請求項３】
前記本体は、底面部と、前記底面部から立設する複数の壁部とを有し、
前記壁部は、少なくとも１以上の他の壁部と平行になるように形成され、
前記着脱部は、前記底面部の一部と、互いに平行な第１の壁部および第２の壁部とを含んで構成され、
前記位置決め部材が、前記第１の壁部および前記第２の壁部のうち少なくとも一方に設けられている、
請求項１または請求項２に記載の光ケーブル用トレイ。
【請求項４】
前記位置決め部材として、前記底面部に垂直なリブを有し、
前記リブは、前記底面部と平行な方向であって前記第１の壁部に平行な長さ方向における前記把持具の位置決めをし、かつ、前記底面部と平行な方向であって前記長さ方向と直交する幅方向における前記光アダプタの位置決めをする、
請求項３に記載の光ケーブル用トレイ。
【請求項５】
前記第１の壁部は、前記底面部に垂直な第１のリブ及び第２のリブを有し、
前記第１の壁部は、前記第１のリブと前記第２のリブとの間に第１突起部を有し、
前記第１突起部は、前記長さ方向および前記幅方向に直交する高さ方向における前記把持具の位置決めをし、
前記第２の壁部は、第２突起部を有し、
前記第２突起部は、前記高さ方向における前記光アダプタの位置決めをする、
請求項４に記載の光ケーブル用トレイ。
【請求項６】
前記複数の着脱部は、前記底面部の外周を形成する一つの辺に沿って並んで設けられており、
隣接する２つの前記着脱部は、１つの前記壁部を共有する、
請求項３から請求項５のいずれか一項に記載の光ケーブル用トレイ。
【請求項７】
請求項１から請求項６のいずれか一項に記載の前記光ケーブル用トレイに装着可能であり、前記光ケーブルを挿通した状態で前記光ケーブルを把持することが可能な把持具であって、
前記着脱部と対向する１方以上の側面に設けられたレバー板と、
前記レバー板に設けられ、前記光ケーブル用トレイの前記位置決め部材と係合可能な爪部と、
を有し、
前記レバー板は前記着脱部から離れる方向へ弾性変形可能であり、
前記弾性変形により、前記位置決め部材と前記爪部との前記係合を解除可能な、把持具。
【請求項８】
請求項１から請求項６のいずれか一項に記載の前記光ケーブル用トレイを備えた、光ケーブル用クロージャ。
【発明の詳細な説明】
【技術分野】
【０００１】
本発明は、光ケーブル用トレイ、把持具、及び光ケーブル用クロージャに関する。
【背景技術】
【０００２】
光ケーブル用クロージャとして、光ケーブル同士の接続部を収容するための光ケーブル用トレイを備えたものが知られている（特許文献１から特許文献７参照）。
【先行技術文献】
【特許文献】
【０００３】
【特許文献１】特開２００１−１０００５０号公報
【特許文献２】特開２００４−２１２８９７号公報
【特許文献３】特開２０１３−１１３８９１号公報
【特許文献４】特開２００８−２６２１２８号公報
【特許文献５】特開２０１３−１１３９２６号公報
【特許文献６】特開平１０−１３３０３０号公報
【特許文献７】特表２０００−５０５５６７号公報
【発明の概要】
【発明が解決しようとする課題】
【０００４】
光ケーブルの接続方法は、融着接続やコネクタ接続など、多様である。しかし、従来の光ケーブル用トレイは、融着接続とコネクタ接続の両方に対応可能なものは少なかった。また、これら両方に対応可能な光ケーブル用トレイであっても、コネクタ接続をする場合は、例えば、光アダプタを光ケーブル用トレイに配置するための部品を取り付ける必要がある等、作業が煩雑になっていた。
【０００５】
本開示の目的は、光ケーブル同士を接続する場合に、簡便な方法で複数種類の接続方法に対応することが可能な光ケーブル用トレイ、把持具、及び光ケーブル用クロージャを提供することである。
【課題を解決するための手段】
【０００６】
本開示の一態様に係る光ケーブル用トレイは、
光ケーブルの接続部を収容するための本体を備える光ケーブル用トレイであって、
前記本体は、前記光ケーブルを挿通した状態で把持するための把持具を着脱可能な複数の着脱部を有し、
前記複数の着脱部のそれぞれは、前記把持具の位置決めが可能な１以上の位置決め部材を有し、
前記複数の着脱部の少なくとも一つの着脱部は、前記把持具に代えて光アダプタを着脱可能であり、
前記少なくとも一つの着脱部における前記位置決め部材の少なくとも一部は、前記光アダプタの位置決めが可能である。
【０００７】
本開示の一態様に係る把持具は、
前記光ケーブル用トレイに装着可能であり、前記光ケーブルを挿通した状態で前記光ケーブルを把持することが可能であって、
前記着脱部と対向する１方以上の側面に設けられたレバー板と、
前記レバー板に設けられ、前記光ケーブル用トレイの前記位置決め部材と係合可能な爪部と、
を有し、
前記レバー板は前記着脱部から離れる方向へ弾性変形可能であり、
前記弾性変形により、前記位置決め部材と前記爪部との前記係合を解除可能である。
【０００８】
本開示の一態様に係る光ケーブル用クロージャは、前記光ケーブル用トレイを備える。
【発明の効果】
【０００９】
上記開示の構成によれば、光ケーブル同士を接続する場合に、簡便な方法で複数種類の接続方法に対応することが可能になる。
【図面の簡単な説明】
【００１０】
【図１】本開示の一実施形態に係る光ケーブル用トレイの斜視図である。
【図２】図１に示す光ケーブル用トレイの上面図である。
【図３】図１に示す光ケーブル用トレイの正面図である。
【図４】図１に示す光ケーブル用トレイに把持具を装着した状態を示す斜視図である。
【図５】図４の一部を拡大した拡大図である。
【図６】図５に示す把持具を別方向から見た場合の斜視図である。
【図７】図１に示す光ケーブル用トレイに、把持具および光アダプタを装着した状態を示す上面図である。
【図８】図７に示す光ケーブル用トレイの斜視図である。
【図９】本開示の一実施形態に係る光ケーブル用クロージャの一部を示す斜視図である。
【発明を実施するための形態】
【００１１】
［本開示の実施形態の説明］
最初に本開示の実施態様を列記して説明する。
本開示の一態様に係る光ケーブル用トレイは、
光ケーブルの接続部を収容するための本体を備える光ケーブル用トレイであって、
前記本体は、前記光ケーブルを挿通した状態で把持するための把持具を着脱可能な複数の着脱部を有し、
前記複数の着脱部のそれぞれは、前記把持具の位置決めが可能な１以上の位置決め部材を有し、
前記複数の着脱部の少なくとも一つの着脱部は、前記把持具に代えて光アダプタを着脱可能であり、
前記少なくとも一つの着脱部における前記位置決め部材の少なくとも一部は、前記光アダプタの位置決めが可能である。
上記の構成によれば、光ケーブル同士を接続する場合に、簡便な方法で複数種類の接続方法に対応することが可能になる。
【００１２】
前記光ケーブル用トレイは、
前記複数の着脱部のそれぞれは、前記把持具に代えて光アダプタを着脱可能であり、
前記複数の着脱部における前記位置決め部材の少なくとも一部は、前記光アダプタの位置決めが可能であることが好ましい。
上記の構成によれば、光ケーブル同士を接続する場合に、簡便な方法で複数種類の接続方法に対応することが可能になる。
【００１３】
前記光ケーブル用トレイは、
前記本体が、底面部と、前記底面部から立設する複数の壁部とを有し、
前記壁部が、少なくとも１以上の他の壁部と平行になるように形成され、
前記着脱部が、前記底面部の一部と、互いに平行な第１の壁部および第２の壁部とを含んで構成され、
前記位置決め部材が、前記第１の壁部および前記第２の壁部のうち少なくとも一方に設けられていることが好ましい。
上記の構成によれば、簡単な構造で、把持具の位置決め及び光アダプタの位置決めを行うことが容易になる。
【００１４】
前記光ケーブル用トレイは、
前記位置決め部材として、前記底面部に垂直なリブを有し、
前記リブが、前記底面部と平行な方向であって前記第１の壁部に平行な長さ方向における前記把持具の位置決めをし、かつ、前記底面部と平行な方向であって前記長さ方向と直交する幅方向における前記光アダプタの位置決めをすることが好ましい。
上記の構成によれば、簡単な構造で、把持具の位置決め及び光アダプタの位置決めの正確性を向上できる。
【００１５】
前記光ケーブル用トレイは、
前記第１の壁部が、前記底面部に垂直な第１のリブ及び第２のリブを有し、
前記第１の壁部が、前記第１のリブと前記第２のリブとの間に第１突起部を有し、
前記第１突起部が、前記長さ方向および前記幅方向に直交する高さ方向における前記把持具の位置決めをし、
前記第２の壁部が、第２突起部を有し、
前記第２突起部が、前記高さ方向における前記光アダプタの位置決めをすることが好ましい。
上記の構成によれば、把持具の位置決め及び光アダプタの位置決めの正確性を更に向上できる。
【００１６】
前記光ケーブル用トレイは、
前記複数の着脱部が、前記底面部の外周を形成する一つの辺に沿って並んで設けられており、
隣接する２つの前記着脱部が、１つの前記壁部を共有するように構成されることが好ましい。
上記構成によれば光ケーブルの接続部を本体に収容する際に、本体の外部へと延びる光ケーブルの向きを一方向に揃えることができる。そのため、作業性を向上させることができる。また、本開示の構成によれば、複数の着脱部を設ける際の部材を少なくすることができる。そのため、製造コストの削減や、光ケーブル用トレイの省スペース化に貢献できる。
【００１７】
本開示の一態様に係る把持具は、
前記光ケーブル用トレイに装着可能であり、前記光ケーブルを挿通した状態で前記光ケーブルを把持することが可能な把持具であって、
前記着脱部と対向する１以上の側面に設けられたレバー板と、
前記レバー板に設けられ、前記光ケーブル用トレイの前記位置決め部材と係合可能な爪部と、
を有し、
前記レバー板は前記着脱部から離す方向へ弾性変形可能であり、
前記弾性変形により、前記位置決め部材と前記爪部との前記係合を解除可能である。
上記構成によれば、光ケーブル用トレイへの把持具の装着および脱着を行うことが容易になる。
【００１８】
本開示の一態様に係る光ケーブル用クロージャは、
前記光ケーブル用トレイを備えている。
上記構成によれば、光ケーブル同士を接続する場合に、簡便な方法で複数種類の接続方法に対応することが可能になる。
【００１９】
［本開示の実施形態の詳細］
以下、本開示に係る光ケーブル用トレイ、把持具、及び光ケーブル用クロージャの実施の形態の例を、図面を参照しつつ説明する。なお、以下の説明では、異なる図面であっても同一又は相当の要素には同一の符号を付し、重複する説明を適宜省略する。
【００２０】
［光ケーブル用トレイ］
図１は、本開示の一実施形態に係る光ケーブル用トレイの斜視図である。図２は、図１に示す光ケーブル用トレイの上面図である。図３は、図１に示す光ケーブル用トレイの正面図である。
【００２１】
図１から図３に示す光ケーブル用トレイ１（以下、本体１ともいう）は、複数の着脱部２と、底面部３と、周壁２１と、光ケーブル収容部２２と、接続固定部２３と、ケーブル固定具取付部２４と、Ｕ字受け２６と、ヒンジ部２７と、舌片２８と、を備えている。
【００２２】
まず、着脱部２以外の構造について説明をする。底面部３は、本体１の支持基板である。周壁２１は、底面部３から立設されている。周壁２１は、底面部３の外周の一部を除く部分に設けられており、本実施形態では、底面部３の三方を囲うようにＵ字状に設けられている。光ケーブル収容部２２は、底面部３から立設された囲い壁によって形成されている。囲い壁の一部には、光ケーブルの導入および導出をするための切り欠きが形成されている。囲い壁の内部には、光ケーブルの余長を収容可能である。接続固定部２３は、例えば、光ケーブルを融着接続した場合の接続部を固定することが可能な部位である。接続固定部２３は、メカニカルスプライス接続をした際の接続部を固定可能なように構成してもよい。
【００２３】
ケーブル固定具取付部２４は、後述するケーブル固定具６１を取り付けることが可能なように構成されている。ケーブル固定具取付部２４には、孔２５ａ及び２５ｂが設けられている。Ｕ字受け２６は、周壁２１上に設けられている。ヒンジ部２７は、周壁２１から本体１の外側へと迫り出すように設けられている。Ｕ字受け２６及びヒンジ部２７は、本体１の上に他の光ケーブル用トレイ１を重ねる場合に、本体１の上に位置する光ケーブル用トレイ１を支持する。舌片２８（２８ａ〜２８ｅ）は、底面部３から立設された壁（周壁２１など）から本体１の内部へ向けて突き出すように設けられている。舌片２８は、光ケーブルを光ケーブル用トレイ１の内部に収容する際に、光ケーブルが光ケーブル用トレイ１からはみ出さないように押さえる役割を有する。
【００２４】
次に、着脱部２の構成について説明をする。着脱部２は、後述する把持具４１及び光アダプタ５１のいずれをも着脱（装着および取り外し）可能なように構成されている。具体的には、着脱部２は、底面部３の一部と、底面部３から立設された互いに平行な２つの壁部４と、位置決め部材とによって構成されている。
【００２５】
例えば、着脱部２ａの場合、底面部３の一部と、壁部４ａと、壁部４ａと平行な壁部４ｂと、によって構成されている。着脱部２ａは、位置決め部材として、壁部４ａの右側面（壁部４ｂと対向する面）に設けられたリブ５〜７及び突起部８と、壁部４ｂの左側面（壁部４ａと対向する面）に設けられた突起部１０と、底面部３に設けられたアダプタ係止孔１１とを有している。
【００２６】
着脱部２ａと隣接する着脱部２ｂは、底面部３の一部と、壁部４ｂと、壁部４ｂと平行な壁部４ｃと、によって構成されている。壁部４ｂの右側面（壁部４ｃと対向する面）には、壁部４ａの右側面と同様に、リブ５〜７及び突起部８が設けられている。壁部４ｃの左側面（壁部４ｂと対向する面）には、壁部４ｂの左側面と同様に、突起部１０が設けられている。すなわち、壁部４ｂの左側面は、着脱部２ａの形成に関与し、壁部４ｂの右側面は、着脱部２ｂの形成に関与する。このように、隣接する着脱部２ａ及び２ｂは、壁部４ｂを共有している。
【００２７】
複数の着脱部２は、底面部３の外周を形成する一つの辺に沿って並んで設けられている。すなわち、上面視した場合（図２参照）、複数の壁部４それぞれは、互いに平行、かつ、底面部３の外周を形成する一つの辺に対して垂直である。ケーブル固定具取付部２４の左側には、着脱部２ａ〜２ｂを含む４つの着脱部（以下、左側着脱部ともいう）２が並んでおり、ケーブル固定具取付部２４の右側には、着脱部２ｃ〜２ｄを含む４つの着脱部（以下、右側着脱部ともいう）２が並んでいる。なお、左側着脱部２と右側着脱部２とは、一つの辺に沿って並んで設けられていなくてもよく、例えば、互いに対向する２つの辺上に別々に設けられていてもよい。また、左側着脱部２と右側着脱部２とは、左右対称の構造を有しているが、互いに同一の構造を有していてもよい。例えば、右側着脱部２においても、左側着脱部２と同様に、壁部４の左側面にリブ５〜７及び突起部８、及び切り欠き９を設け、壁部４の右側面に突起部１０を設けてもよい。
【００２８】
次に、図４から図８を用いて、把持具、光アダプタ、及びこれらの位置決めについて説明をする。以下の説明において、「長さ方向」とは、底面部３と平行な方向であって、壁部４に平行な方向をいう。「幅方向」とは、底面部３と平行な方向であって、長さ方向と直交する方向をいう。「高さ方向」とは、長さ方向および幅方向に直交する方向をいう。「第１の壁部」とは、着脱部２を構成する２つの壁部４のうち、当該着脱部２に対してリブ５〜７、突起部８、及び切り欠き９を提供する側をいう。「第２の壁部」とは、着脱部２を構成する２つの壁部４のうち、当該着脱部２に対して突起部１０を提供する側をいう。「等しい」とは、厳密に等しい場合だけではなく、両者の差が十分に小さく、実質的に等しいと評価される場合をも含む。
【００２９】
［把持具］
図４は、図１に示す光ケーブル用トレイ１に把持具４１を装着した状態を示す斜視図である。図５は、図４に示した着脱部２ｄ及び把持具４１を拡大した拡大図である。図６は、図５に示した把持具４１を別方向から見た場合の斜視図である。図７は、図１に示す光ケーブル用トレイ１に、把持具４１および光アダプタ５１を装着した状態を示す上面図である。図８は、図７に示す光ケーブル用トレイ１の斜視図である。
【００３０】
まず、把持具４１と、把持具４１の位置決めについて説明をする。図４に示すように、各着脱部２には、把持具４１を装着することができる。図５及び図６に示すように、把持具４１は、突き出し部４２ａ及び４２ｂと、凹み部４３及び４７と、レバー板４４及び４６と、爪部４５と、複数の把持構造４８とを備えている。また、着脱部２ｄは、底面部３の一部と、第１の壁部４ｆと、第２の壁部４ｅとを備えている。
【００３１】
突き出し部４２ａ及び４２ｂと、凹み部４３と、レバー板４４と、爪部４５とは、把持具４１の側面のうち、第１の壁部４ｆと対向する面に形成されている。凹み部４３は、突き出し部４２ａと突き出し部４２ｂとの間に形成された凹んだ空間であり、把持具４１の長さ方向における位置決めに利用される。具体的には、長さ方向において、凹み部４３の長さ（突き出し部４２ａの内側端と、突き出し部４２ｂの内側端との間の距離）と、リブ５の外側端とリブ６の外側端との間の長さとが等しい。そのため、リブ５及び６と、突き出し部４２ａ及び４２ｂとによって、把持具４１の長さ方向の動きを制限することができる。なお、長さ方向の位置決めに用いるリブの数は、１本でもよいし、３本以上であってもよい。１本のリブによって位置決めをする場合、例えば、当該リブと嵌合する嵌合溝を把持具４１に設けてもよい。
【００３２】
また、把持具４１と着脱部２ｄとは、幅方向において互いに等しい長さを有する箇所を備えている。具体的には、突き出し部４２ａ及び４２ｂの近傍における幅方向の長さと、第１の壁部４ｆと第２の壁部４ｅとにおける対向面間の距離とが等しい。このような構成により、把持具４１の幅方向の動きを制限し、把持具４１の幅方向における位置決めを可能にしている。
【００３３】
凹み部４３には、第１の壁部４ｆに対向するようにレバー板４４が形成されている。レバー板４４と対になるレバー板４６は、把持具４１の上面から飛び出すように形成されている。本実施形態では、レバー板４４及び４６、把持具４１におけるその他の部分（把持具４１の本体）は、所定の弾性を有する樹脂によって形成されている。すなわち、レバー板４４に対して、第１の壁部４ｆから離す方向への力を加えた場合、レバー板４４が弾性変形して、レバー板４４がレバー板４６の方へ、すなわち第１の壁部４ｆから離れる方向へ動くことになる。
【００３４】
また、レバー板４４には、爪部４５が形成されている。爪部４５と、第１の壁部４ｆにおいてリブ５及びリブ６の間に形成された突起部８とは、互いに対応する位置に形成されている。把持具４１を着脱部２に装着する場合、突き出し部４２ｂをリブ５に当接させ、かつ、突き出し部４２ａをリブ６に当接させながら、上から下へ押し込むようにする。把持具４１がある程度押し込まれると、爪部４５の下端と突起部８の上端とがぶつかって、それ以上は押し込めなくなる。しかし、その状態でレバー板４４及び４６に対して互いに近づけるように力を加えることで、レバー板４４が弾性変形し、爪部４５に突起部８を乗り越えさせることができる。その結果、把持具４１の底面が底面部３と接触するまで、把持具４１を押し込むことができる。また、その状態では、爪部４５の上端と突起部８の下端とがぶつかるので、高さ方向への動きが制限される。すなわち、爪部４５と突起部８とが係合することによって、把持具４１の高さ方向の位置決めがなされる。なお、レバー板４４は、先端が逆Ｌ字状である。把持具４１を装着した状態において、逆Ｌ字状の先端は、第１の壁部４ｆにおけるリブ５及びリブ６の間の切り欠き９の上方に位置することなる。切り欠き９は、レバー板４４及び４６を指でつまみやすいように設けられている。着脱部２ｄから把持具４１を取り外す際は、レバー板４４及び４６に対して互いに近づけるような力を加えながら、爪部４５に突起部８を乗り越えさせ、把持具４１を上へと引き上げればよい。
【００３５】
なお、上記のように把持具４１を脱着させることができれば、レバー板４４及び４６や、把持具４１の材質は制限されない。例えば、レバー板４４及び４６を、把持具４１よりも剛性の高い樹脂で形成してもよい。また、レバー板４４及び４６を、１枚のＵ字型の板バネを用いて構成してもよい。板バネを用いる場合、把持具４１の本体は、弾性を有さずともよい。また、所定の弾性を有する樹脂を用いて、レバー板４４及び４６を含む把持具４１全体を一体的に成型してもよい。レバー板４４及び４６は金属によって形成されていてもよい。
【００３６】
凹み部４７及び把持構造４８は、把持具４１の側面のうち、第２の壁部４ｅと対向する面に形成されている。凹み部４７は、把持具４１を着脱部２ｄに装着する場合に、把持具４１が突起部１０とぶつからないようにするために設けられている。すなわち、凹み部４７の位置は、突起部１０の位置と対応し、突起部１０を複数設ける場合には、凹み部４７も複数あってもよい。なお、本実施形態において、突起部１０は、光アダプタ５１の位置決めに関与し、把持具４１の位置決めには関与しないが、把持具４１の位置決めに関与するように構成してもよい。例えば、突起部１０と凹み部４７の長さ方向における長さを互いに等しくし、突起部１０と凹み部４７を係合させて、把持具４１の長さ方向の位置決めをしてもよい。
【００３７】
把持構造４８（４８ａ〜４８ｄ）は、高さ方向に４つ並んで設けられている。把持具４１は、光ケーブルを把持構造４８に挿通した状態で把持する。把持構造４８は、把持具４１における第２の壁部４ｅに対向する面に設けられた溝であり、把持具４１を長さ方向に貫通している。把持構造４８は、所定の弾性を有する部材により形成されており、光ケーブルを上下から挟み込むようにして把持する。把持する光ケーブルの外形に応じて、溝を形成する部材が弾性変形する。そのため、複数種類の光ケーブルを把持することができる。
【００３８】
また、把持構造４８の溝の内部には、鬼目が設けられていてもよい。例えば、光ケーブルがフラット型ドロップケーブルの場合はその本体を、光ケーブルが丸型ドロップケーブルの場合は内部のルースチューブを、鬼目を用いて挟み込むことで、どちらの光ケーブルをも安定して把持することができる。すなわち、１種類の把持具４１によって、複数種類の光ケーブルに対して安定した把持力を発揮できる。なお、溝の高さは、ターゲットとする光ケーブルの径や種類によって、適宜変更してもよい。例えば、光ケーブルの径や種類に応じた把持構造をもつ複数種類の把持具４１を用意してもよい。本開示の光ケーブル用トレイ１は、把持具４１が着脱式であるため、光ケーブルの種類に応じて把持具４１の種類を変えることができる。そのため、単一の光ケーブル用トレイ１によって、複数種類の光ケーブルに対応することが容易である。
【００３９】
［光アダプタ］
次に、光アダプタ５１、光アダプタ５１の位置決めについて説明をする。図７及び図８に示すように、着脱部２には、把持具４１に代えて、光アダプタ５１を着脱可能である。本開示の光ファイバ用トレイに適用できる光アダプタ５１の種類は、特に制限はなく、例えば、ＬＣコネクタ用アダプタであってもよいし、ＳＣコネクタ用アダプタであってもよい。さらにはその他のコネクタ用アダプタであってもよい。光アダプタ５１は、長さ方向における両端に、光コネクタ５２及び５３を装着可能である。光コネクタ５２及び５３は、光アダプタ５１の種類や形状に応じて、適宜変更可能である。光コネクタ５２及び５３には、光ケーブルが接続される。光アダプタ５１を用いる場合、光アダプタ５１が光ケーブルの接続部になる。なお、複数の着脱部２のうち少なくとも一つが、把持具４１に代えて光アダプタ５１を着脱可能であればよい。
【００４０】
図示はしないが、光アダプタ５１の底面には、アダプタ係止孔１１と係合可能な形状を有する係止部が設けられている。係止部は、例えば、光アダプタ５１の底面から下方へと突き出す突起であり、アダプタ係止孔１１に対応する形状を有することが好ましい。係止部とアダプタ係止孔１１とを係合させることで、光アダプタ５１の長さ方向および幅方向における動きを制限できる。すなわち、光アダプタ５１の係止部とアダプタ係止孔１１とは、光アダプタ５１の長さ方向および幅方向における位置決めに関与する。
【００４１】
着脱部２に光アダプタ５１を装着する場合、第１の壁部に設けられたリブ５〜７が、光アダプタ５１の幅方向における位置決めに関与する。光アダプタ５１の幅方向の長さは、着脱部２の幅方向の長さ（第１の壁部と第２の壁部とにおける対向面間の距離）よりも短い。着脱部２に光アダプタ５１を装着する場合、リブ５〜７は、幅方向における光アダプタ５１と着脱部２の長さの差を埋めるスペーサとして機能する。すなわち、幅方向におけるリブ５の先端から第２の壁部４までの距離と、光アダプタ５１におけるリブ５と対応する箇所の幅は等しい。リブ６及び７についても同様である。なお、幅方向におけるリブ７の先端から第２の壁部４までの距離は、リブ５及び６の場合よりも長くなっている。このように、各リブの幅方向の長さは、光アダプタの形状に応じて変更可能である。
【００４２】
光アダプタ５１の高さ方向における位置決めには、突起部１０が関与する。突起部１０は、光アダプタ５１の高さに対応する位置に設けられている。突起部１０の頂上部は丸みを帯びており、光アダプタ５１を着脱部２へと押し込むように力を加えると、光アダプタ５１を突起部１０の下へと乗り越えさせることができる。その状態では、突起部１０の下端と光アダプタ５１の上端とがぶつかるため、光アダプタ５１の高さ方向における動きが制限される。すなわち、光アダプタ５１の高さ方向における位置決めがなされる。
【００４３】
図８において、各左側着脱部２には、光アダプタ５１が装着されており、各右側着脱部２には、把持具４１が装着されている。この場合、例えば、一方の光ケーブル（例えば、幹線ケーブルから引き出されたドロップケーブル）の先端がコネクタ５２に接続される。また、他方の光ケーブル（例えば、ドロップケーブル）が把持具４１に挿通され、当該他方の光ケーブルの先端がコネクタ５３に接続される。そして、アダプタ５１において、光ケーブル同士が光学的に接続される。一方で、光ケーブル同士を融着接続する場合、各左側着脱部２には、光アダプタ５１に代えて、把持具４１が装着される。そして、左側着脱部２側の把持具４１から挿通された一方の光ケーブルと、左側着脱部２側の把持具４１から挿通された他方の光ケーブル同士が融着接続され、両者が光学的に接続される。また、融着接続された光ケーブル同士の接続部は、接続固定部２３において、光ケーブル用トレイ１に固定される。
【００４４】
［光ケーブル用クロージャ］
次に、図９を用いて、光ケーブル用クロージャについて説明をする。図９は、本開示の一実施形態に係る光ケーブル用クロージャ６０の一部を示す斜視図である。図９において、上記した光ファイバ用トレイ１は、ケーブル固定具６１に固定されている。ケーブル固定具６１は、光ケーブル通過孔６２（６２ａ〜６２ｄ）と、取付板６３と、ねじ６４とを備えている。光ケーブル用クロージャ６０の内部へと引き込まれた光ケーブルは、光ケーブル通過孔６２に挿通され、光ファイバ用トレイ１が収納される領域へと導かれる。取付板６３には、光ファイバ用トレイ１の孔２５ａ及び２５ｂに対応する孔が設けられている。孔２５ａとこれに対応する孔同士、孔２５ｂとこれに対応する孔同士を重ね合わせて、上からねじ６４によって固定することが可能である。
【００４５】
光ケーブル用クロージャ６０の形状や大きさ等は、少なくとも着脱部２を備える１以上の光ファイバ用トレイ１を収容可能であれば、特に制限はされない。本実施形態においては、光ケーブル用クロージャ６０は、光ファイバ用トレイ１と光ファイバ用トレイ１´とを少なくとも備えている。光ファイバ用トレイ１´は、少なくとも着脱部２を備えており、光ファイバ用トレイ１と同じものであってもよい。光ファイバ用トレイ１´は、光ファイバ用トレイ１又は光ケーブル固定具２５に固定されている。また、図示はしていないが、光ファイバ用トレイ１の上方や、光ファイバ用トレイ１´の下方には、さらに、光ファイバ用トレイ１又は１´が重ねられていてもよい。
【００４６】
以上、本開示を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本開示を実施する上で好適な数、位置、形状等に変更することができる。
【符号の説明】
【００４７】
１：光ケーブル用トレイ（本体）
２（２ａ〜２ｄ）：着脱部
３：底面部
４（４ａ〜４ｆ）：壁部
５：リブ（第１のリブ）
６：リブ（第２のリブ）
７：リブ（第３のリブ）
８：突起部（第１突起部）
９：切り欠き
１０：突起部（第２突起部）
１１：アダプタ係止孔
２１：周壁
２２：光ケーブル収容部
２３：接続固定部
２４：ケーブル固定具取付部
２５（２５ａ，２５ｂ）：孔
２６：Ｕ字受け
２７：ヒンジ
２８（２８ａ〜２８ｅ）：舌片
４１：把持具
４２（４２ａ，４２ｂ）：突き出し部
４３，４７：凹み部
４４，４６：レバー板
４５：爪部
４８（４８ａ〜４８ｄ）：把持構造
５１：光アダプタ
５２，５３：光コネクタ
６１：ケーブル固定具
６２（６２ａ〜６２ｄ）：光ケーブル通過孔
６３：取付板
６４：ねじ
【図１】
2020154168.tif 000003
【図２】
2020154168.tif 000004
【図３】
2020154168.tif 000005
【図４】
2020154168.tif 000006
【図５】
2020154168.tif 000007
【図６】
2020154168.tif 000008
【図７】
2020154168.tif 000009
【図８】
2020154168.tif 000010
【図９】
2020154168.tif 000011